(57)【特許請求の範囲】
【請求項１】
炭素同位体にて標識されたフェニルアラニンを有効成分として含有し、経口投与又は注射投与により生体に適用され、該生体の呼気中に含まれる炭素同位体量を指標として鬱病、躁鬱病、痴呆及び精神分裂病を診断するための、中枢神経異常診断剤。
【発明の詳細な説明】
【０００１】
【発明の属する技術分野】
本発明は、特定炭素原子を炭素同位体で置き換えることにより標識された中枢神経系伝達物質及びその前駆物質を有効成分として含有し、これを投与された生体の呼気中の炭素同位体量の測定によって、中枢神経異常及びフェニルケトン尿症を診断する診断剤及び診断方法に関する。
【０００２】
【従来の技術】
従来より、鬱病、躁鬱病、アルツハイマー病、精神分裂病等の中枢神経に関連する各種の病的状態は、中枢神経異常と総称されている。この中枢神経異常に関して、種々の薬理学的研究、生物学的研究等がなされており、代謝変化を正常化させてこれら疾患を治療するための新しい薬物研究もなされている。また、フェニルケトン尿症は、フェニルアラニンの代謝異常によってひき起こされる病的状態である。
【０００３】
しかしながら、これらの発病機構や代謝変化の解明は充分には行なわれておらず、各疾患を簡便に且つ正確に診断する方法も確立されてはいない。
【０００４】
【発明が解決しようとする課題】
本発明の目的は、中枢神経異常及びフェニルケトン尿症と総称される疾患を簡便に且つ正確に診断する方法及びそのための診断剤を提供することにある。
【０００５】
本発明者らは、上記目的を達成すべく鋭意研究を重ねた結果、炭素原子の少なくとも１つを炭素同位体と置き換えることにより標識された中枢神経系伝達物質及びその前駆物質の少なくとも１種を有効成分として含有する薬剤が、これを生体に投与して、該生体の呼気中の炭素同位体量を測定する時には、その測定値が上記中枢神経異常をよく反映し、かくして、中枢神経異常の診断剤として有用であることを見いだした。また、本発明者らは、この診断剤の利用によれば、簡便な操作で、容易且つ迅速に、被験者に侵襲を伴わせることなく、しかも非常に正確に中枢神経異常を診断できることを見出した。
【０００６】
また本発明者らは、炭素同位体にて標識されたフェニルアラニンを有効成分として含有する薬剤が、これを生体に投与して、該生体の呼気中の炭素同位体量を測定する時には、その測定値がフェニルケトン尿症をよく反映し、かくして、フェニルケトン尿症の診断剤として有用であることをも見いだした。発明はかかる知見に基づいて完成されたものである。
【０００７】
【課題を解決するための手段】
即ち、本発明によれば、中枢神経伝達物質及びその前駆物質を構成する炭素原子の少なくとも１つを炭素同位体にて標識した標識体の少なくとも１種を有効成分として含有し、経口投与又は注射投与により生体に適用され、該生体の呼気中に含まれる炭素同位体量の変動により中枢神経異常を診断するための、中枢神経異常診断剤、及びこの診断剤を用いる中枢神経異常の診断方法が提供される。
【０００８】
また本発明によれば、炭素同位体で標識されたフェニルアラニン、より好ましくは側鎖の１位、２位及び３位の少なくとも１つが炭素同位体で標識されたフェニルアラニンを有効成分として含有する、フェニルケトン尿症の診断剤及び診断方法も提供される。
【０００９】
かかる本発明診断剤の利用によれば、簡便な操作で、容易且つ迅速に、被験者に侵襲を伴わせることなく、しかも非常に正確にフェニルケトン尿症を診断できる。
【００１０】
【発明の実施の形態】
本発明診断剤を利用した診断方法は、被験者の呼気を検体とするものであり、この面から、一般の血液などを検体とする診断法に比して、検体自体の採取が非常に容易であり、身体を傷つけることもなく、しかもその測定、診断のための予備的前処理や調製などの操作が一切不要であるという利点がある。
【００１１】
中枢神経異常を診断するための本発明の診断剤は、中枢神経系伝達物質及び／又はその前駆物質を、炭素同位体にて標識してなる物質を有効成分として含有する。利用される炭素同位体は、13Ｃのような非放射性の炭素同位体でも、11Ｃや14Ｃのような放射性の炭素同位体でもよく、これら同位体による標識は、常法に従い、例えばデラリア等の方法〔Dellaria,J.F., Santarsiero, B.D., Tetrahedron Lett., 29, 6078 (1988)〕により実施できる。かかる炭素同位体でラベルした中枢神経系伝達物質も一部市販されている。例えば側鎖の１，２又は３位を13Ｃで標識したフェニルアラニンは、ＣＩＬ社などより市販されている。
【００１２】
上記炭素同位体で標識され得る中枢神経系伝達物質は、中枢神経異常に関連する物質より選択される。その代表例としては、例えばフェニルアラニン、チロシン、ドーパ (3,4-dihydroxyphenylalanine) 、ドーパミン (4-(2-aminoethyl)-1,2-benzenediol)、ノルエピネフリン（ノルアドレナリン）及びエピネフリン（アドレナリン）等のカテコールアミン系物質、ヒスチジン、ヒスタミン等のヒスタミン系物質、トリプトファン、５−ヒドロキシトリプトファン、セロトニン等のセロトニン系物質、コリン、フォスファチジルコリン、アセチルコリン等のコリン系物質等があげられる。また、例えばグルタミン酸、アスパラギン酸、ガンマアミノ酪酸、グリシン、タウリン等中枢神経系伝達物質であるアミノ酸を例示することができる。
【００１３】
例えば、カテコールアミン系物質やセロトニン系物質の標識では、芳香環又は複素環に置換した側鎖の炭素原子の少なくとも１つが炭素同位体と置き換えられる。コリン系物質の標識では、基本となるコリンのＮ−メチル基又は１位もしくは２位の炭素原子のいずれかが炭素同位体と置き換えられる。
【００１４】
本発明診断剤は、上記標識された中枢神経系伝達物質及び／又はその前駆物質（以下この前駆物質を含めて単に中枢神経系伝達物質という）を有効成分として含有する以外は、通常の方法により調製できる。例えば、該診断剤は、上記標識された中枢神経系伝達物質を、適当な液体希釈剤乃至固体担体と共に利用して、被験者の摂取に適した投与形態に調製することができる。該投与単位形態としては、通常の医薬品乃至飲食品と同様の形態とすることができる。
【００１５】
より具体的には、上記医薬品形態としては、一般的な充填剤、増量剤、結合剤、付湿剤、崩壊剤、表面活性剤、滑沢剤等の希釈剤あるいは賦形剤を利用して調製される投与単位形態、例えば代表的には錠剤、丸剤、散剤、液剤、懸濁剤、乳剤、顆粒剤、カプセル剤、坐剤、注射剤（液剤、懸濁剤等）等を例示できる。
【００１６】
錠剤の形態に成形するに際しては、上記製剤担体として例えば乳糖、白糖、塩化ナトリウム、ブドウ糖、尿素、デンプン、炭酸カルシウム、カオリン、結晶セルロース、ケイ酸、リン酸カリウム等の賦形剤、水、エタノール、プロパノール、単シロツプ、ブドウ糖液、デンプン液、ゼラチン溶液、カルボキシメチルセルロース、ヒドロキシプロピルセルロース、メチルセルロース、ポリビニルピロリドン等の結合剤、カルボキシメチルセルロースナトリウム、カルボキシメチルセルロースカルシウム、低置換度ヒドロキシプロピルセルロース、乾燥デンプン、アルギン酸ナトリウム、カンテン末、ラミナラン末、炭酸水素ナトリウム、炭酸カルシウム等の崩壊剤、ポリオキシエチレンソルビタン脂肪酸エステル類、ラウリル硫酸ナトリウム、ステアリン酸モノグリセリド等の界面活性剤、白糖、ステアリン、カカオバター、水素添加油等の崩壊抑制剤、第４級アンモニウム塩基、ラウリル硫酸ナトリウム等の吸収促進剤、グリセリン、デンプン等の保湿剤、デンプン、乳糖、カオリン、ベントナイト、コロイド状ケイ酸等の吸着剤、精製タルク、ステアリン酸塩、ホウ酸末、ポリエチレングリコール等の滑沢剤等を使用できる。更に錠剤は必要に応じ通常の剤皮を施した錠剤、例えば糖衣錠、ゼラチン被包錠、腸溶被錠、フイルムコーテイング錠あるいは二重錠、多層錠とすることができる。
【００１７】
丸剤の形態に成形するに際しては、製剤担体として例えばブドウ糖、乳糖、デンプン、カカオ脂、硬化植物油、カオリン、タルク等の賦形剤、アラビアゴム末、トラガント末、ゼラチン、エタノール等の結合剤、ラミナラン、カンテン等の崩壊剤等を使用できる。坐剤の形態に成形するに際しては、製剤担体として例えばポリエチレングリコール、カカオ脂、高級アルコール、高級アルコールのエステル類、ゼラチン、半合成グリセライド等を使用できる。カプセル剤は常法に従い通常本発明の有効成分化合物を上記で例示した各種の製剤担体と混合して硬質ゼラチンカプセル、軟質カプセル等に充填して調製される。
【００１８】
本発明薬剤が液剤、乳剤、懸濁剤等の注射剤として調製される場合、之等は殺菌され且つ血液と等張であるのが好ましく、之等の形態に成形するに際しては、希釈剤として例えば水、エチルアルコール、マクロゴール、プロピレングリコール、エトキシ化イソステアリルアルコール、ポリオキシ化イソステアリルアルコール、ポリオキシエチレンソルビタン脂肪酸エステル類等を使用できる。尚、この場合等張性の溶液を調製するに充分な量の食塩、ブドウ糖あるいはグリセリンを本発明薬剤中に含有させてもよく、また通常の溶解補助剤、緩衝剤、無痛化剤等を添加してもよい。更に、本発明薬剤中には、必要に応じて着色剤、保存剤、香料、風味剤、甘味剤等や他の医薬品を含有させることもできる。
【００１９】
本発明薬剤中に含有されるべき前記標識された中枢神経系伝達物質の量は、特に限定されず広範囲より適宜選択されるが、通常医薬製剤中に約１０〜３００ｍｇ程度含有されるものとするのがよい。
【００２０】
上記薬剤の投与方法は特に制限がなく、各種製剤形態、患者の年齢、性別、その他の条件、疾患の程度等に応じて決定される。例えば錠剤、丸剤、液剤、懸濁剤、乳剤、顆粒剤及びカプセル剤は経口投与され、更に必要により注射剤は単独で又はブドウ糖、アミノ酸等の通常の補液と混合して静脈内投与され、更に必要に応じ単独で筋肉内、皮内、皮下もしくは腹腔内投与され、坐剤は直腸内投与される。
【００２１】
上記製剤の投与量は、その用法、患者の年齢、性別その他の条件、疾患の程度等により適宜選択されるが、通常有効成分である本発明化合物の量が１日当り体重１ｋｇ当り約０．５〜５ｍｇ程度とするのがよく、該製剤は１日に１〜４回に分けて投与することができる。同位体の投与量は約１００ｍｇ／６０ｋｇ体重程度を目安とすることができる。
【００２２】
本発明は、また上記のごとくして得られる本発明診断剤を利用して、鬱病、躁鬱病、アルツハイマー病、精神分裂病等の中枢神経異常を診断する方法をも提供するものである。
【００２３】
この診断方法は、本発明診断剤を予め被験者に投与し、被験者の呼気中の炭素同位体量を測定することにより実施される。
【００２４】
炭素同位体量は、例えば呼気中の二酸化炭素濃度（ＣＯ2）を測定し、測定された二酸化炭素濃度中の炭素同位体濃度を測定するか、あるいは呼気中の放射活性を測定することによって表される。
【００２５】
前者の方法では、本発明診断剤の投与から０、３０、６０、９０、１２０、１５０、１８０分後のそれぞれで、アルミバッグ等に直接呼気を約２５０ｍｌ程度づつ採取し、採取された呼気を次いで分析して、呼気中の炭酸ガス濃度、特に同位体を含まない炭酸ガス濃度と同位体を含む炭酸ガス濃度を測定する。
【００２６】
この炭酸ガス濃度の測定は、通常の方法に従って実施できる。例えば、13ＣＯ2 の測定は、一般的な質量分析計を用いた質量分析法により、より詳しくは、自動気体アイソトープ比質量分析計〔「呼気のＣＯ2 の完全自動化された精製と同位体分析のためのマイクロプロセッサーで制御された質量分析計」、バイオメディカル・マススペクトロメトリー、第６巻、３５０−３５５、（１９７９年）；G.W.Ewing, Instrumental Methods of Chemical Analysis, (4th edition, 1975) 等参照〕を用いて実施できる。また、赤外分光計を用いた赤外分光法や核磁気共鳴スペクトル分析法〔例えば、特公昭６１−４２２１９号公報、P.Klein, et al., "Application of Stable Isotopies to Pediatric Nutrient and Gastroenterology: Measurement of Nutrient Absorption and Digestion Using 13C", Vol.4, Journal of Pediatric Gastroenterology and Nutrition 9-19 (1985) : P.Klein, et al., "The Commercial Feasibility of 13C Breath Tests", Vol.11, Analytical Chemistry Symposium Series 347-353 (1982) 等参照〕によっても、所望の13ＣＯ2 の測定を行ない得る。更に、13ＣＯ2 の測定は、半導体レーザー分析装置などのレーザーをベースにしたスペクトロメーターを利用して〔例えば特開平５−１４２１４６号公報参照〕も行なうことができる。
【００２７】
上記各種機器を用いた分析法によれば、呼気中の炭酸ガス濃度が測定でき、かくして、13ＣＯ2 ／12ＣＯ2 比を求めることができる。
【００２８】
本発明者等は、上記で求められる13ＣＯ2 量及び13ＣＯ2 ／12ＣＯ2 比が、鬱病患者、躁鬱病患者、アルツハイマー病患者、精神分裂病患者等の中枢神経異常の患者では、健常人と比較して、有意な差があり、従ってこの同位体炭素原子濃度又は比率を指標として、上記各疾患の診断が行ない得ることを初めて見いだしたのである。すなわち、従来より、例えば躁鬱病患者では、肝臓でのフェニルアラニンをチロシンに代謝するフェニルアラニンヒドロキシラーゼの欠損等の異常やチロシンの代謝回転の低下（チロシントランスアミナーゼの活性低下）等が報告された例もあるが、かかる酵素欠損などによるフェニルアラニンの代謝機能に着目して、その異常を、呼気中の炭素同位体を含む炭酸ガス濃度の測定によって診断しようとした例は皆無であり、かかる呼気診断法によって、容易簡便にしかも高精度高感度で躁鬱病の診断を行ない得るという事実は、本発明者等が初めて見いだした新しい知見である。
【００２９】
また、本発明診断剤を利用した呼気測定法によれば、従来有効な診断法のなかったアルツハイマー病などの痴呆症や精神分裂病の診断にも、上記と同様の機構により、容易簡便に且つ高精度で行ない得る。
【００３０】
さらに、フェニルケトン尿症は、フェニルアラニンが代謝されずに血液や脳に蓄積して発症するものであるため、本発明診断剤、特に好ましくは、側鎖の１位、２位及び３位の少なくとも１つが炭素同位体で標識されたフェニルアラニンを有効成分として含有する本発明診断剤、を利用した呼気測定法によって、その診断を、上記と同様の機構により、容易簡便に且つ高精度で行ない得る。
【００３１】
以上の通り、本発明は、中枢神経異常及びフェニルケトン尿症の新しい診断技術を提供するものであり、その臨床診断分野における価値は絶大なものである。
【００３２】
【実施例】
以下、本発明を更に詳しく説明するため試験例及び実施例を挙げる。
【００３３】
試験例１（精神分裂病の動物モデルによる試験）
精神分裂病の動物モデルを利用して、経口的に投与された14Ｃ−フェニルアラニンの代謝が正常動物に比して変化するか否かを、呼気中に排泄される14ＣＯ2 量を指標として検討を行った。
【００３４】
精神分裂病の動物モデルとは、アポモルフィン（Apomorphine）の投与により動物に常同行動(持続的な臭い嗅ぎや舌で舐める行動等) を発現させたものをいう。アポモルフィンは、ドパミン・レセプターに対するアゴニスト作用を有し、従来より分裂病薬を開発するために多用されている〔C. J. E. Niemegeeres, et al., Arch. int. Pharmacodyn. 227, 238-253 (1977)及びA. J. Puech, et al., Neuropharmacol. 20, 1279-1284 (1981)〕。
【００３５】
試験は以下のようにして行った。
【００３６】
使用動物:ウィスター（Wistar）系雄性ラット(８週齢、体重250 〜 270 ｇ)
使用薬物: 14Ｃ−フェニルアラニン( L-phenyl〔1-14C〕alanine，Amrersham Life Sciense社製)
アポモルフィン塩酸塩（Apomorphine Hydrochloride，Sigma Chemical Co., Ltd. 製)
試験方法:
実験群は、アポモルフィン投与群３例及び対照群３例の計６例とした。濃度1.85 MBq/ml の14Ｃ−フェニルアラニン1.5ml を蒸留水6 mlで5 倍に希釈し、0.37 MBq/ml に調製し、ラット1 個体あたり1 mlの容量で全ての個体に経口投与した。
【００３７】
また、アポモルフィン10mgを生理食塩水に溶解して、2 mg/ ml濃度に調製し、アポモルフィン投与群のラット1 個体につき体重1kg あたり1 mlの容量で皮下投与した。一方、対照群には同一容量の生理食塩水のみを皮下投与した。
【００３８】
代謝された14Ｃ−フェニルアラニン由来の呼気中の14CO2 量は、代謝試験装置内に設置された呼気トラップ溶剤（２−アミノエタノ−ル：メタノ−ル＝１：３の混合液）にてトラップし、この溶剤を一定時間ごとに1 mlずつシンチレーションバイアルに採取し、シンチレーションカクテルを１０ｍｌ加えた後、β線用液体シンチレーションカウンターにて放射活性を測定することにより求めた。
【００３９】
試験は、まず各ラットを代謝試験装置に入れ、15分後に呼気トラップ溶剤を採取し、放射活性を測定し、これを直前値とした。この直前値を測定するための呼気トラップ溶剤の採取直後に、アポモルフィン及び14Ｃ−フェニルアラニンを同時にアポモルフィン投与群のラットに投与し、それから15分ごとに60分まで、計4 回呼気トラップ溶剤を採取し、放射活性を測定した。得られた放射活性のカウント(dpm) から前値を差し引いた値をその時間ごとのデータとして統計処理を行った。対照群のラットには、前記アポモルフィン溶液と同容量の生理食塩水を14Ｃ−フェニルアラニンと同時に投与した。
【００４０】
統計処理は、各群毎及び各採取時間毎に平均値と標準誤差を求め、繰り返し測定に基づく分散分析を行い、群間の差を統計学的に推定した。
【００４１】
試験結果を図1 に示す。図1 から、アポモルフィン投与群では、アポモルフィンを投与しない対照群に比べて、14Ｃ−フェニルアラニン投与後の全ての測定ポイントで呼気中の14ＣＯ2 が低く、その反応様式の差は統計学的に有意であった。すなわち、Dunnett の両側検定により5 ％の確率で対照群との間に有意差があることが確認された。
【００４２】
このことより、呼気中の14CO2 量を測定することにより、フェニルアラニンの代謝速度の低下を推定することが可能であることが判明した。
【００４３】
試験例２（うつ病の動物モデルによる試験）
うつ病の動物モデルを利用して、経口的に投与された14Ｃ−フェニルアラニンの代謝が正常動物に比して変化するか否かを、呼気中に排泄される14ＣＯ2 量を指標として検討を行った。
【００４４】
うつ病の成因として、脳内のモノアミン神経伝達の低下が推定されている。Reserpine は強力なモノアミン枯渇作用を有していることから、この薬剤を動物に投与すると、自発行動抑制、体温低下、傾眠(lethargy)などのうつ病類似の症状を発現させ得るため、従来よりうつ病の動物モデルとして使用されてきた〔Howard, J. L., et al.,:Antidepressants: Neurochemical, behavioral, and clinical perspectives (ed. by Enna, S. J., Malick, J. B. and Richelson, E.), 107-120, Raven Press, New York, 1981〕。
【００４５】
試験は以下のようにして行った。
【００４６】
使用動物:Wistar 系雄性ラット(8週齢、体重250 〜 270 ｇ)
使用薬物: 14Ｃ−フェニルアラニン( L-phenyl〔1-14C〕alanine，Amrersham Life Sciense社製)
Reserpine ( アポプロン注、1 mg/ ml、第一製薬 (株) 製)
試験方法:
実験群はReserpine 投与群3 例及び対照群3 例の計6 例とした。濃度1.85 MBq/ml の14Ｃ−フェニルアラニン1.5ml を蒸留水6 mlで5 倍に希釈し、0.37 MBq/ml に調製し、ラット1 個体あたり1 mlの容量で全ての個体に経口投与した。
【００４７】
また、Reserpine は、Reserpine 投与群のラット1 個体につき体重1kg あたり1 mlの容量で皮下投与した。Reserpine は効果が発現するまでに16〜18時間かかるので、14Ｃ−フェニルアラニンを投与する18時間前にReserpine をラットに投与した。
【００４８】
一方、対照群にはReserpine と同一容量の生理食塩水のみをReserpine の投与と同時刻に皮下投与した。
【００４９】
代謝された14Ｃ−フェニルアラニン由来の呼気中の14CO2 量は、試験例1 と同様にして、放射活性を測定することにより求めた。
【００５０】
試験は、まず各ラットを代謝試験装置に入れ、15分後に呼気トラップ溶剤を採取し、放射活性を測定し、これを直前値とした。この直前値を測定するための呼気トラップ溶剤の採取直後に、14Ｃ−フェニルアラニンをラットに投与し、それから15分ごとに60分まで、計4 回呼気トラップ溶剤を採取し、放射活性を測定した。また、得られた放射活性のカウント(dpm) から前値を差し引いた値をその時間ごとのデータとして統計処理を行った。
【００５１】
統計処理は、各群毎及び各採取時間毎に平均値と標準誤差を求め、繰り返し測定に基づく分散分析を行い、群間の差を統計学的に推定した。
【００５２】
試験結果を図２に示す。図２から、Reserpine 投与群では、Reserpine を投与しない対照群に比べて、14Ｃ−フェニルアラニン投与後の全ての測定ポイントで呼気中の14ＣＯ2 が高く、その反応様式の差は統計学的に有意であった。すなわち、Dunnett の両側検定により0.1 ％の確率で対照群との間に有意差があることが確認された。
【００５３】
試験例３（痴呆症の動物モデルによる試験）
痴呆症の動物モデルを利用して、経口的に投与された14Ｃ−フェニルアラニンの代謝が正常動物に比して変化するか否かを、呼気中に排泄される14ＣＯ2 量を指標として検討を行った。
【００５４】
痴呆の中核症状として位置づけられる記憶障害及び知的機能障害は、アセチルコリン神経活動の低下、もしくは神経細胞の変性脱落であると考えられている。
【００５５】
Scopolamine はムスカリ性アセチルコリンM1受容体のアンタゴニストであり、末梢投与により中枢に取り込まれ、アセチルコリン神経伝達を遮断する作用を有する。この作用により、動物において容易に記憶学習障害を引き起こすことができる。そのため、Scopolamine は、痴呆の中核症状を発現させる薬剤として、従来より痴呆の研究に広く使用されている〔Matsuoka N, et al, J. Pharmacol. Exp. Ther. 263 (2), 436-444 (1992) 及びDavis, L., et al, J. Med. Chem. 39
（２），  ５８２−５８７  （１９９６）〕 。
【００５６】
試験は以下のようにして行った。
【００５７】
使用動物:Wistar 系雄性ラット(8週齢、体重250 〜 270 ｇ)
使用薬物: 14Ｃ−フェニルアラニン( L-phenyl〔1-14C〕alanine，American Radiolabeled Chemicals Inc.製)
Scopolamine Hydrobromide (Sigma Chemical Co., Ltd.製)
試験方法:
実験群はScopolamine 投与群3 例及び対照群3 例の計6 例とした。濃度3.7 MBq/ml の14Ｃ−フェニルアラニン0.75 ml を蒸留水6.75 mlで10倍に希釈し、0.37 MBq/ml 濃度に調製し、ラット1 個体あたり1 mlの容量で全ての個体に経口投与した。
【００５８】
また、Scopolamine は、その1 mgを生理食塩水1 mlに溶解し、各ラットに体重1 kgあたり1 mlの容量で腹腔内に投与した。対照群には同一容量の生理食塩水のみを腹腔内に投与した。
【００５９】
代謝された14Ｃ−フェニルアラニン由来の呼気中の14CO2 量は、試験例1 と同様にして、放射活性をカウントすることにより求めた。
【００６０】
試験は、まず各ラットを代謝試験装置に入れ、15分後に呼気トラップ溶剤を採取し、放射活性を測定し、これを直前値とした。この直前値を測定するための呼気トラップ溶剤の採取直後に、Scopolamine 及び14Ｃ−フェニルアラニンをラットに投与し、それから15分ごとに60分まで、計4 回呼気トラップ溶剤を採取し、放射活性を測定した。得られた放射活性のカウント(dpm) から前値を差し引いた値をその時間ごとのデータとして統計処理を行った。
【００６１】
統計処理は、各群毎及び各採取時間毎に平均値と標準誤差を求め、繰り返し測定に基づく分散分析を行い、群間の差を統計学的に推定した。
【００６２】
試験結果を図３に示す。図３から、Scopolamine 投与群では、Scopolamine を投与しない対照群に比べて、14Ｃ−フェニルアラニン投与後の全ての測定ポイントで呼気中の14ＣＯ2 が低く、その反応様式の差は統計学的に有意であった。
【００６３】
実施例１
躁鬱病患者と正常人とに、１位を13Ｃでラベルしたフェニルアラニン（合成品社製）を１００ｍｇ／body投与し、０、３０、６０、９０、１２０、１５０及び１８０分後の呼気をアルミバッグに２５０ｍｌずつ採取し、それらの12ＣＯ2 と13ＣＯ2 の濃度比を質量分析器（フィニガン・マット・インスツルメント・インク；ブレスマット社製）により測定し、測定された濃度比で診断を行なった。
【００６４】
その結果、本発明診断剤を利用した本発明診断方法によれば、躁鬱病が正確に診断できることが明らかとなった。
【００６５】
これは、躁鬱病患者はフェニルアラニンの肝臓での代謝酵素の活性が低下し、チロシンへの代謝が遅れていることによる。
【００６６】
実施例２及び３
実施例１において、躁鬱病患者に代えて、アルツハイマー病患者及び精神分裂病患者を選択し、之等患者と正常人とに、それぞれ１位を13Ｃでラベルしたフェニルアラニン（合成品社製）を１００ｍｇ／body投与し、０、３０、６０、９０、１２０、１５０及び１８０分後の呼気をアルミバッグに２５０ｍｌずつ採取し、それらの12ＣＯ2 と13ＣＯ2 の濃度比を質量分析器（フィニガン・マット・インスツルメント・インク；ブレスマット社製）により測定し、測定された濃度比で診断を行なった。
【００６７】
その結果、本発明診断剤を利用した本発明診断方法によれば、アルツハイマー病及び精神分裂病が正確に診断できることが明らかとなった。
【図面の簡単な説明】
【図１】精神分裂病の動物モデルにおける、14Ｃ−フェニルアラニン投与後の呼気中の14ＣＯ2 の放射活性の経時変化を示すグラフである。
【図２】うつ病の動物モデルにおける、14Ｃ−フェニルアラニン投与後の呼気中の14ＣＯ2 の放射活性の経時変化を示すグラフである。
【図３】痴呆モデルの動物モデルにおける、14Ｃ−フェニルアラニン投与後の呼気中の14ＣＯ2 の放射活性の経時変化を示すグラフである。
【図１】
0003635346.tif 000002
【図２】
0003635346.tif 000003
【図３】
0003635346.tif 000004